(57)【要約】【課題】高画質な撮影画像を撮影するとともに、高画質な画像を投影する、消費電力が抑えられた撮影発光装置を提供することを目的とする。【解決手段】  光が通過する光学系と、被写体光の像を撮影する撮像部と、画像を表わす画像光を発する光発射部と、光学系を通過した光を被写体光として撮像部に導く第１の光路と、光発射部が発した画像光を光学系に導く第２の光路とのうち少なくとも一方の光路上で光に作用する、光学系に対する相対的な配置が変更されることでそれら第１および第２の光路を切り換える光路切換素子と、電圧の印可を受けて変形する、変形の応力によって光路切換素子の配置を変更する配置変更体とを備えた。【選択図】        図４
2007003973.tif 000002
【特許請求の範囲】
【請求項１】
光が通過する光学系と、
被写体光の像を撮影する撮像部と、
画像を表わす画像光を発する光発射部と、
前記光学系を通過した光を前記被写体光として前記撮像部に導く第１の光路と、前記光発射部が発した画像光を前記光学系に導く第２の光路とのうち少なくとも一方の光路上で光に作用する、前記光学系に対する相対的な配置が変更されることでそれら第１および第２の光路を切り換える光路切換素子と、
電圧の印可を受けて変形する、変形の応力によって前記光路切換素子の前記配置を変更する配置変更体とを備えたことを特徴とする撮影発光装置。
【請求項２】
前記第１および前記第２の光路のうちいずれか一方の光路を操作に応じて選択的に設定する光路設定部と、
前記配置変更体に印加される電圧を制御して、前記光路切換素子の配置を、前記光路設定部で設定された光路が得られる配置とする電圧制御部とを備えたことを特徴とする請求項１記載の撮影発光装置。
【請求項３】
前記光路切替素子は、光を反射する反射鏡であることを特徴とする請求項１記載の撮影発光装置。
【請求項４】
前記配置変更体は、前記電圧の印加を受けて変形する金属材料からなるものであることを特徴とする請求項１記載の撮影発光装置。
【請求項５】
前記配置変更体は、イオン伝導アクチュエータで構成されたものであることを特徴とする請求項１記載の撮影発光装置。
【請求項６】
前記配置変更体は、圧電アクチュエータで構成されたものであることを特徴とする請求項１記載の撮影発光装置。
【発明の詳細な説明】
【技術分野】
【０００１】
本発明は、被写体光の像を撮影するとともに、画像を表わす画像光を発する撮影発光装置に関する。
【背景技術】
【０００２】
近年、携帯電話などといった小型機器に、被写体を撮影する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるという利点もある。
【０００３】
しかし、携帯電話などに設けられているディスプレイは大変小さく、撮影画像をディスプレイに表示させても、絵柄の細部を確認したり、その撮影画像を複数の人で一緒に鑑賞することが困難である。通常、撮影画像を大きく表示したいときには、パーソナルコンピュータに撮影画像を送って、パーソナルコンピュータのディスプレイに撮影画像を表示することが行われるが、予めパーソナルコンピュータが用意されていない場合には、撮影画像をその場ですぐに確認することができないという問題がある。
【０００４】
この点に関し、特許文献１および特許文献２には、被写体を撮影する撮影装置に、画像をスクリーンなどに投影するプロジェクタを搭載する技術について記載されている。撮影装置内に、被写体光が結像される撮影部と、画像を表わす画像光を発する再生部とが備えられており、被写体を撮影するときには、レンズを通過してきた被写体光がミラー等によって撮影部に導かれ、画像を投影するときには、ミラー等が移動されて再生部から発せられた画像光がレンズを通じてスクリーンに照射される。これら特許文献１および特許文献２に記載された技術によると、パーソナルコンピュータなどが用意されていない場合であっても、携帯電話などで撮影された撮影画像をその場で大きく拡大して確認することができる。
【０００５】
ここで、撮影装置内でミラーを移動させるには、ミラーにモータを取り付けることが考えられるが、携帯電話などといった小型機器では、通常の通話機構や撮影機構を駆動する電力に加えて、ミラー移動用のモータを駆動するのに十分な電力を確保することが困難である。
【０００６】
また、特許文献１では、移動式のミラーを設ける替わりに、撮影装置内にハーフミラーを設けて、光を撮影部と再生部の両方に伝達する方法も提案されている。ハーフミラーで光を２方向に分岐させることによって、モータを駆動する電力を省くことができ、携帯電話などでも、撮影装置とプロジェクタとの両方を搭載することができる。
【特許文献１】特開平３−６５８７９号公報
【特許文献２】特開２００２−３６９０５０号公報
【発明の開示】
【発明が解決しようとする課題】
【０００７】
しかし、ハーフミラーで光を分岐させると、レンズから入射した被写体光は撮影部だけでなく再生部にも導かれるし、再生部から発せられた画像光もレンズ以外に一部が導かれるため、光の光量が無駄に減少してしまい、撮影画像や投影画像の画質が劣化してしまうという問題がある。
【０００８】
本発明は、上記事情に鑑み、高画質な撮影画像を撮影するとともに、高画質な画像を投影する、消費電力が抑えられた撮影発光装置を提供することを目的とする。
【課題を解決するための手段】
【０００９】
上記目的を達成する本発明の撮影発光装置は、光が通過する光学系と、
被写体光の像を撮影する撮像部と、
画像を表わす画像光を発する光発射部と、
光学系を通過した光を被写体光として撮像部に導く第１の光路と、光発射部が発した画像光を光学系に導く第２の光路とのうち少なくとも一方の光路上で光に作用する、光学系に対する相対的な配置が変更されることでそれら第１および第２の光路を切り換える光路切換素子と、
電圧の印可を受けて変形する、変形の応力によって光路切換素子の配置を変更する配置変更体とを備えたことを特徴とする。
【００１０】
本発明の撮影発光装置によると、配置変更体が変形する応力によって光路切替素子の配置が変更されるため、被写体光を撮像部に導く第１の光路と、光発射部で発せられた画像光を光学系に第２の光路とを低電力かつ静音に切り替えることができる。また、被写体光や画像光は無駄に光量が低減されずに撮像部や光学系に導かれるため、高画質な撮影画像を取得することができ、画像光を投影させた投影画像の画質劣化も回避することができる。
【００１１】
また、本発明の撮影発光装置において、上記第１および第２の光路のうちいずれか一方の光路を操作に応じて選択的に設定する光路設定部と、
配置変更体に印加される電圧を制御して、光路切換素子の配置を、光路設定部で設定された光路が得られる配置とする電圧制御部とを備えたことが好適である。
【００１２】
本発明の好適な形態の撮影発光装置によると、被写体を撮影する撮影装置としての機能と、画像光を発して、画像光が表わす画像を投影するプロジェクタとしての機能とを容易に切り替えることができる。
【００１３】
また、本発明の撮影発光装置において、上記光路切替素子は、光を反射する反射鏡であることが好ましい。
【００１４】
光路切替素子として反射鏡が用いられることにより、撮影発光装置の製造コストが抑えられる。
【００１５】
また、本発明の撮影発光装置において、上記配置変更体は、電圧の印加を受けて変形する金属材料からなるものであることが好ましい。
【００１６】
近年、電圧が印加されることによって通電し、その通電による発熱によって変形する金属材料が開発されている。このような金属材料を配置変更体として適用することによって、光路切替素子の配置を低電力に切り替えることができる。
【００１７】
また、本発明の撮影発光装置において、上記配置変更体は、イオン伝導アクチュエータで構成されたものであることも好ましい。
【００１８】
イオン伝導アクチュエータは、印加電圧に応じて変形する特性を有しており、本発明にいう配置変更体として好ましく適用することができる。
【００１９】
また、本発明の撮影発光装置において、上記配置変更体は、圧電アクチュエータで構成されたものであることも好ましい。
【００２０】
圧電アクチュエータも、電圧が印加されると変形する特性を有しているため、本発明にいう配置変更体として適用することができる。
【発明の効果】
【００２１】
本発明によれば、高画質な撮影画像を撮影するとともに、高画質な画像を投影する、消費電力が抑えられた撮影発光装置を提供することができる。
【発明を実施するための最良の形態】
【００２２】
以下、図面を参照して本発明の実施の形態を説明する。
【００２３】
図１は、本発明の一実施形態が適用されたデジタルカメラを前面斜め上から見た外観斜視図である。
【００２４】
デジタルカメラ１００には、被写体を撮影する撮影機能と、画像をスクリーンなどに投影する投影機能とが搭載されている。図１に示すように、このデジタルカメラ１００の前面には、光を結像するレンズ群１０１、撮影画角を確認するために撮影者が覗く光学式ファインダ対物窓１０２、および閃光を発光する閃光発光部１０３が備えられており、デジタルカメラ１００の上面には、撮影機能と投影機能とを切り替える切替スイッチ１０４、およびシャッタを切るためのレリーズスイッチ１０５が備えられている。また、図１には示されていないが、デジタルカメラ１００の背面には、メニュー画面や撮影画像を表示するためのディスプレイや、電源を投入するための電源スイッチや、各種設定を行うための十字キーなどが備えられている。レンズ群１０１は、本発明にいう光学系の一例にあたり、切替スイッチ１０４は、本発明にいう光路設定部の一例に相当する。
【００２５】
図２は、図１に示すデジタルカメラ１００の概略構成図である。
【００２６】
図２に示すように、デジタルカメラ１００には、図１にも示すレンズ群１０１や切替スイッチ１０４、レンズ群１０１を通過してきた被写体光を受光して被写体信号を生成するＣＣＤ１１０、ＣＣＤ１１０で生成された被写体信号をデジタルの撮影画像データに変換するＡ／Ｄ部１２０、撮影画像データに色補正処理や圧縮／解凍処理などを施す画像処理部１３０、記録メディア１に圧縮後の撮影画像データを記録したり、記録メディア１に記録された撮影画像データを取り出すメディアコントローラ１８０、図２に示す各種要素を制御するＣＰＵ１５０、画像を表わす画像光を発する光発射部１６０、電圧の印加を受けて、光の光路を変更する光路変更部１７０、光路変更部１７０に電圧を印加する電圧印加部１４０が備えられており、それらＡ／Ｄ部１２０、画像処理部１３０、電圧印加部１４０、ＣＰＵ１５０、光発射部１６０、光路変更部１７０、メディアコントローラ１８０、および切替スイッチ１０４はバス１９０で接続されている。ＣＣＤ１１０は、本発明にいう撮像部の一例にあたり、光発射部１６０は、本発明にいう光発射部の一例にあたり、ＣＰＵ１５０は、本発明にいう電圧制御部の一例に相当する。また、光路変更部１７０は、印加電圧に応じて曲がるイオン伝導アクチュエータ（後述する）１７１と、イオン伝導アクチュエータ１７１に取り付けられたミラー１７２とで構成されており、光発射部１６０は、光源１６１と、光源１６１から発せられた光を画素ごとに遮ったり通過させたりすることで、画像を表わす画像光を生成する液晶１６２とで構成されている。ミラー１７２は、本発明にいう光路切替素子の一例にあたり、イオン伝導アクチュエータ１７１は、本発明にいう配置変更体の一例に相当する。尚、デジタルカメラ１００には、図２に示す以外にも、オートフォーカス機能やズーム機能などを実現するために、レンズ群１０１を光軸に沿う方向に駆動するレンズ駆動機構や、メニュー画面などを表示するディスプレイや、図１に示す閃光発光部１０３やレリーズスイッチ１０５などが備えられているが、それらは本発明には直接関わらないため、図示を省略する。
【００２７】
本実施形態のデジタルカメラ１００では、光路変更部１７０によって光の光路が調整され、レンズ群１０１に入射してきた被写体光をＣＣＤ１１０上に結像して、被写体を撮影する撮影機能と、光発射部１６０から発せられた画像光をレンズ群１０１に導いて、スクリーンなどに画像光が表わす画像を投影する投影機能とが実現される。
【００２８】
ここで、一旦、図２の説明を中断し、ミラー１７２に取り付けられたイオン伝導アクチュエータ１７１の特性について説明する。
【００２９】
図３は、イオン伝導アクチュエータの動作原理を説明するための図である。
【００３０】
イオン伝導アクチュエータ１０は、陽イオン１３、極性分子１４、およびイオン交換樹脂１５で構成される高分子電解質が、特殊化学メッキによって形成された金電極１１，１２に挟まれている。金電極１１，１２に電圧が印加されていないときには、図３のパート（Ａ）に示すように、陽イオン１３が高分子電解質内で分散しており、イオン伝導アクチュエータ１０はまっすぐな形状を有している。
【００３１】
イオン伝導アクチュエータ１０の金電極１１，１２に電圧を印加すると、図３のパート（Ｂ）に示すように、陽イオン１３が陰極（左側の金電極１２）に引き付けられて金電極１１，１２間で膨潤に差が生じ、陰極側（左側の金電極１２）が伸びて陽極側（右側の金電極１３）が縮むようにイオン伝導アクチュエータ１０が曲がる。また、金電極１１，１２に、図３のパート（Ｂ）とは逆極性の電圧を印加すると、図３のパート（Ｃ）に示すように、イオン伝導アクチュエータ１０はパート（Ｂ）とは逆の方向に曲がる。このように、イオン伝導アクチュエータ１０は、印加電圧の大きさや極性を調整することによって、曲がり具合や曲がる方向を制御することができる。
【００３２】
図２に示すデジタルカメラ１００では、光路変更部１７０で光の光路を変える機構として、図３を使って説明したようなイオン伝導アクチュエータの特性が利用されている。
【００３３】
図２に戻って説明する。
【００３４】
撮影者が、図１および図２に示す切替スイッチ１０４を「撮影機能」に設定すると、レンズ群１０１に入射してきた被写体光Ｌ１がＣＣＤ１１０に導かれるように、光の光路が調整される。
【００３５】
「撮影機能」が設定されたときには、ＣＰＵ１５０から電圧印加部１４０に指示が与えられて、イオン伝導アクチュエータ１７１への電圧の印加が禁止される。イオン伝導アクチュエータ１７１に電圧が印加されていない状態では、図２に示すように、イオン伝導アクチュエータ１７１はまっすぐな形状を有しており、イオン伝導アクチュエータ１７１に取り付けられたミラー１７２は、被写体光Ｌ１を遮らないように縦に配置される。このとき、レンズ群１０１を通過してきた被写体光Ｌ１は、そのまま直進してＣＣＤ１１０に達する。この被写体光Ｌ１がＣＣＤ１１０まで達する光路は、本発明にいう第１の光路の一例に相当する。
【００３６】
撮影者が、図１に示すレリーズスイッチ１０５を押下すると、レンズ群１０１を通過してきた被写体光Ｌ１がＣＣＤ１１０で結像され、被写体光を表わす被写体信号が生成される。生成された被写体信号は、Ａ／Ｄ部１２０において撮影画像データに変換されて、画像処理部１３０に伝えられる。画像処理部１３０では、撮影画像データに所定の色補正処理などが施されて、さらに、圧縮処理が施される。圧縮後の撮影画像データは、メディアコントローラ１８０によって記録メディア１に記録される。
【００３７】
このように、本実施形態のデジタルカメラ１００によると、レンズ群１０１を通過してきた被写体光は光量を減少させずに全てＣＣＤ１１０に導かれるため、高画質な撮影画像を得ることができる。
【００３８】
また、撮影者が、図１および図２に示す切替スイッチ１０４を「投影機能」に設定すると、光発射部１６０から発せられた画像光がレンズ群１０１に導かれるように、光の光路が調整される。
【００３９】
「投影機能」が設定されたときには、まず、メディアコントローラ１８０によって記録メディア１に記録された撮影画像データが取り出され、それら撮影画像データが表わす撮影画像の一覧がデジタルカメラ１００の背面に設けられたディスプレイ（図示しない）に表示される。
【００４０】
撮影者が、撮影画像の一覧から、投影する撮影画像を選択すると、その選択された撮影画像を表わす撮影画像データが光発射部１６０に送られる。
【００４１】
続いて、ＣＰＵ１５０からの指示に従って、電圧印加部１４０からイオン伝導アクチュエータ１７１に電圧が印加される。
【００４２】
図４は、イオン伝導アクチュエータ１７１に電圧が印加されたときの、レンズ群１０１を通過する光の光路を説明するための図である。
【００４３】
イオン伝導アクチュエータ１７１に電圧が印加されると、その印加電圧に応じてイオン伝導アクチュエータ１７１が曲がって、ミラー１７２の角度が変更される。
【００４４】
ミラー１７２の角度が変更されると、液晶１６２にＣＰＵ１５０から送られてきた撮影画像データが表わす撮影画像が表示されるとともに、光源１６１から光が発せられる。光源１６１から発せられた光が液晶１６２に表示されている撮影画像を通過すると、その撮影画像を表わす画像光Ｌ２が生成される。
【００４５】
画像光Ｌ２は、光発射部１６０からミラー１７２まで直進し、ミラー１７２上で反射されてレンズ群１０１に導かれる。画像光Ｌ２は、レンズ群１０１を通過してデジタルカメラ１００の外部に発せられ、画像光Ｌ２が表わす撮影画像がスクリーンなどに投影される。この画像光Ｌ２がレンズ群１０１まで達する光路は、本発明にいう第２の光路の一例に相当する。
【００４６】
本実施形態のデジタルカメラ１００によると、光発射部１６０から発せられた画像光も全てレンズ群１０１からデジタルカメラ１００の外部に導かれるため、高画質な画像を投影することができる。また、モータなどの替わりにイオン伝導アクチュエータ１７１を使ってミラー１７２を移動させることによって、消費電力や騒音が軽減され、携帯電話などといった小型機器にも撮影機能と投影機能を搭載することができる。
【００４７】
以上で、本発明の第１実施形態の説明を終了し、本発明の第２実施形態について説明する。本発明の第１実施形態と第２実施形態とでは、イオン伝導アクチュエータの替わりに圧電バイモルフが使用されている点が異なるが、それ以外はほぼ同様の構成を有するため、同じ要素については同じ符号を付して説明を省略し、相違点についてのみ説明する。
【００４８】
まず、圧電バイモルフについて説明する。
【００４９】
図５は、圧電バイモルフの動作原理を説明するための図である。
【００５０】
圧電バイモルフ２０は、電圧の印加を受けて変形する圧電アクチュエータの１種であり、厚さ方向に同じ向きで分極された２枚の圧電素子２１，２２の間に電極２３が挟み込まれており、さらに、電極２３の対電極２４が圧電素子２１，２２それぞれに設けられている。圧電素子２１，２２としては、圧電セラミックス板などが適用され、電極２３および対電極２４としては、金電極などといった金属板が適用される。
【００５１】
図５のパート（Ａ）に示すように、圧電バイモルフ２０に電圧が印加されていない状態では、２枚の圧電素子２１，２２の伸縮状態が等しく、圧電バイモルフ２０はまっすぐな形状を有している。
【００５２】
電極２３および対電極２４に、相互に逆極性の電圧を印加すると、一方の圧電素子（図５のパート（Ｂ）では、上側の圧電素子２１）が圧電横効果によって縮み、他方の圧電素子（図５のパート（Ｂ）では、下側の圧電素子２２）が伸びることによって、圧電バイモルフ２０が上に曲がる。また、電極２３および対電極２４にパート（Ｂ）とは逆の電圧を印加すると、圧電バイモルフ２０はパート（Ｂ）とは逆に下に曲がる。
【００５３】
以上のように、圧電バイモルフ２０も、図３に示すイオン伝導アクチュエータと同様に、電圧の印加に応じて変形するという特性を有している。
【００５４】
図６は、図５に示す圧電バイモルフが適用された光路変更部２７０において光の光路を変更する処理を説明するための図である。
【００５５】
本実施形態の光路変更部２７０には、図３に示す第１実施形態の光路変更部１７０に設けられていたイオン伝導アクチュエータ１７１に替えて、圧電バイモルフ２７１が設けられている。
【００５６】
図１に示す切替スイッチ１０４が「撮影機能」に設定されたときには、第１実施形態と同様に、電圧印加部１４０から圧電バイモルフ２７１への電圧の印加が禁止される。その結果、図６のパート（Ａ）に示すように、圧電バイモルフ２７１はまっすぐな形状が維持され、ミラー２７２はレンズ群１０１を通過してきた被写体光Ｌ１の光路を遮らないように縦に配置される。この図６のパート（Ａ）に示す状態では、被写体光Ｌ１は、屈折されずにそのまま直進してＣＣＤ１１０上に結像され、被写体が撮影される。
【００５７】
また、図１に示す切替スイッチ１０４が「投影機能」に設定されたときには、ＣＰＵ１５０からの指示に従って、電圧印加部１４０から圧電バイモルフ２７１に電圧が印加され、図６のパート（Ｂ）に示すように、圧電バイモルフ２７１が曲がることによってミラー２７２の角度が変更される。このとき、光発射部１６０から発射された画像光Ｌ２は、ミラー２７２によって反射されて、レンズ群１０１を通ってデジタルカメラの外部に発せられる。
【００５８】
このように、イオン伝導アクチュエータの替わりに圧電バイモルフ２７１を使用しても、光の光路を精度良く変更することができる。
【００５９】
以上で、本発明の第２実施形態の説明を終了し、本発明の第３実施形態について説明する。本発明の第３実施形態は、第１実施形態および第２実施形態におけるイオン伝導アクチュエータや圧電バイモルフの替わりに金属材料が使用されている点が異なるが、それ以外はほぼ同様の構成を有するため、同じ要素については同じ符号を付して説明を省略し、相違点についてのみ説明する。
【００６０】
本実施形態に適用される金属材料は、近年、人工筋肉として利用されてきているものであり、室温では手で変形できる程度に柔らかく、加熱されると固くなって元の形状に戻る性質を有している。従来の形状記憶合金とほぼ同様の特性を有するが、電圧の印加によって通電し、通電の発熱によって変形させることができ、その変形量も大きいという利点がある。
【００６１】
図７は、金属系人工筋肉が適用された光路変更部２７０において光の光路を変更する処理を説明するための図である。
【００６２】
本実施形態の光路変更部３７０には、図３に示す第１実施形態の光路変更部１７０に設けられていたイオン伝導アクチュエータ１７１に替えて、金属系人工筋肉３７１が設けられている。尚、本実施形態においては、金属系人工筋肉３７１は長手形状を有しており、長さ方向の変位量を増加させるためにコイル状に巻かれている。この金属系人工筋肉３７１は、室温では伸びた形状を有しており、電圧が印加されると熱によって縮む。
【００６３】
図１に示す切替スイッチ１０４が「撮影機能」に設定されたときには、第１実施形態と同様に、電圧印加部１４０から金属系人工筋肉３７１への電圧の印加が禁止される。図７のパート（Ａ）に示すように、金属系人工筋肉３７１は伸びており、ミラー３７２は、レンズ群１０１に入射してきた被写体光Ｌ１を遮らない位置に縦に配置されている。このとき、レンズ群１０１から入射された被写体光Ｌ１はＣＣＤ１１０上に結像され、被写体が撮影される。
【００６４】
また、図１に示す切替スイッチ１０４が「投影機能」に設定されたときには、第１実施形態と同様に、電圧印加部１４０から金属系人工筋肉３７１に電圧が印加される。図７のパート（Ｂ）に示すように、金属系人工筋肉３７１は電圧が印加されると熱によって縮み、金属系人工筋肉３７１の収縮によってミラー３７２の角度が変更される。光発射部１６０から発射された画像光Ｌ２は、ミラー２７２によって反射されてレンズ群１０１を通ってデジタルカメラの外部に発せられる。
【００６５】
このように、イオン伝導アクチュエータや圧電バイモルフの替わりに、金属系人工筋肉３７１を適用してもよい。
【００６６】
ここで、上記では、本発明にいう光路切替素子の一例として、光を反射するミラーが示されているが、本発明にいう光路切替素子は、光を屈折するプリズムやレンズなどであってもよい。
【００６７】
また、上記では、本発明にいう配置変更体の一例として、イオン伝導アクチュエータや圧電バイモルフや金属系人工筋肉を適用する例について説明したが、本発明にいう配置変更体は、電力が印加されることによって変形するものであれば、例えば、圧電ヘリモルなどであってもよい。
【００６８】
また、上記では、本発明の撮像部の一例として、被写体光を受光して被写体信号を生成するＣＣＤが示されているが、本発明にいう撮像部は、例えばＭＯＳなどであってもよく、また、フィルムに被写体光を結像するものであってもよい。
【図面の簡単な説明】
【００６９】
【図１】本発明の一実施形態が適用されたデジタルカメラを前面斜め上から見た外観斜視図である。
【図２】図１に示すデジタルカメラ１００の概略構成図である。
【図３】イオン伝導アクチュエータの動作原理を説明するための図である。
【図４】イオン伝導アクチュエータ１７１に電圧が印加されたときの、レンズ群１０１を通過する光の光路を説明するための図である。
【図５】圧電バイモルフの動作原理を説明するための図である。
【図６】図５に示す圧電バイモルフが適用された光路変更部２７０において光の光路を変更する処理を説明するための図である。
【図７】金属系人工筋肉が適用された光路変更部２７０において光の光路を変更する処理を説明するための図である。
【符号の説明】
【００７０】
１０    イオン伝導アクチュエータ
１１，１２    金電極
１３    陽イオン
１４    極性分子
１５    イオン交換樹脂
２０    圧電バイモルフ
２１，２２    圧電素子
２３    電極
１００    デジタルカメラ
１０１    レンズ群
１０２    光学式ファインダ対物窓
１０３    閃光発光部
１０４    切替スイッチ
１０５    レリーズスイッチ
１１０    ＣＣＤ
１２０    Ａ／Ｄ部
１３０    画像処理部
１４０    電圧印加部
１５０    ＣＰＵ
１６０    光発射部
１６１    光源
１６２    液晶
１７０，２７０，３７０    光路変更部
１７１    イオン伝導アクチュエータ
１７２，２７２，３７２    ミラー
１８０    メディアコントローラ
１９０    バス１９０
２７１    圧電バイモルフ
３７１    金属系人工筋肉
【図１】
2007003973.tif 000003
【図２】
2007003973.tif 000004
【図３】
2007003973.tif 000005
【図４】
2007003973.tif 000006
【図５】
2007003973.tif 000007
【図６】
2007003973.tif 000008
【図７】
2007003973.tif 000009